【手続補正書】
【提出日】平成19年10月22日(2007.10.22)
【手続補正１】
【補正対象書類名】明細書
【補正対象項目名】発明の名称
【補正方法】変更
【補正の内容】
【発明の名称】検索サーバーによるカテゴリの報告方法、レコードの報告方法、検索サービス装置
【手続補正２】
【補正対象書類名】明細書
【補正対象項目名】特許請求の範囲
【補正方法】変更
【補正の内容】
【特許請求の範囲】
【請求項１】 多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
前記多数のカテゴリを相互に対応付けて当該カテゴリ同士の相関関係を記憶したカテゴリ対応表を用いて前記検索語を含むカテゴリを前記データベースから抽出して関連カテゴリを特定し、または、多数の語を収録するとともに各語に所定のカテゴリを対応付けて記憶したカテゴリ参照辞書によって抽出した当該検索語に対応する参照カテゴリを特定し更に当該参照カテゴリに対応する関連カテゴリを前記カテゴリ対応表によって特定するカテゴリ特定ステップと、
前記特定した関連カテゴリまたは参照カテゴリについて、前記データベースにおける樹形構造中の位置を前記カテゴリ検索報告書に記載して前記利用者コンピュータに送付するカテゴリ検索報告ステップと、
を実行することを特徴とする方法。
【請求項２】  多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
前記検索語を含んだカテゴリを前記データベースから抽出するとともに、このカテゴリに対応する関連カテゴリを前記多数のカテゴリを相互に対応付けて当該カテゴリ同士の相関関係を記憶したカテゴリ対応表によって特定する関連カテゴリ特定ステップと、
前記検索語を含んだカテゴリおよび前記関連カテゴリのそれぞれについて、前記データベースにおける樹形構造中の位置を前記カテゴリ検索報告書に記載して前記利用者コンピュータに送付するカテゴリ検索報告ステップと、
を実行することを特徴とする方法。
【請求項３】  多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
多数の語を収録するとともに各語に所定のカテゴリを対応付けて記憶したカテゴリ参照辞書によって当該検索語に対応する参照カテゴリを特定する参照カテゴリ特定ステップと、
前記多数のカテゴリを相互に対応付けて当該カテゴリ同士の相関関係を記憶したカテゴリ対応表によって前記参照カテゴリに対応する関連カテゴリを特定する関連カテゴリ特定ステップと、
前記参照カテゴリとその関連カテゴリそれぞれについて、前記データベースにおける樹形構造中の位置を前記カテゴリ検索報告書に記載して前記利用者コンピュータに送付するカテゴリ検索報告ステップと、
を実行することを特徴とする方法。
【請求項４】  ネットワークを介してアクセスしてきた利用者コンピュータが送付した検索語に基づいて付帯するデータベースを検索し、該当するレコードを含んだレコード検索報告書を当該利用者コンピュータに送付する検索サーバーによるレコードの報告方法において、前記検索サーバーが、
多数の語を収録するとともに各語を相互に対応付けするための関連語辞書によって前記検索語に対応する関連語を特定する関連語特定ステップと、
前記検索語または前記特定された関連語を含んだレコードを抽出して前記レコード検索報告書に記載し前記利用コンピュータに送付するレコード検索報告ステップと、
を含むことを特徴とする方法。
【請求項５】  多数のカテゴリを階層的な樹形構造によって体系化するとともに、多数のレコードそれぞれを最下層にあるいずれかのカテゴリに分類分けして格納したデータベースを備え、ネットワークを介してアクセスしてきた利用者コンピュータが送付した検索語に基づいたカテゴリへのリンク情報を記載したカテゴリ検索報告書を当該利用者コンピュータに送付する検索サービス装置において、
前記多数のカテゴリを相互に対応付けて当該カテゴリ同士の相関関係を記憶したカテゴリ対応表と、
前記検索語を含んだカテゴリを前記データベースから抽出するとともに、このカテゴリに対応する関連カテゴリを前記カテゴリ対応表によって特定する関連カテゴリ特定手段と、
前記検索語を含んだカテゴリおよび前記関連カテゴリのそれぞれについて、前記データベースにおける樹形構造中の位置を前記カテゴリ検索報告書に記載して前記利用者コンピュータに送付するカテゴリ検索報告手段と、
を備えることを特徴とする検索サービス装置。
【請求項６】  多数のカテゴリを階層的な樹形構造によって体系化するとともに、多数のレコードそれぞれを最下層にあるいずれかのカテゴリに分類分けして格納したデータベースを備え、ネットワークを介してアクセスしてきた利用者コンピュータが送付した検索語に基づいたカテゴリへのリンク情報を記載したカテゴリ検索報告書を当該利用者コンピュータに送付する検索サービス装置において、
前記多数のカテゴリを相互に対応付けて当該カテゴリ同士の相関関係を記憶したカテゴリ対応表と、
多数の語を収録するとともに各語に所定のカテゴリを対応付けて記憶したカテゴリ参照辞書と、
前記カテゴリ参照辞書によって当該検索語に対応する参照カテゴリを特定する参照カテゴリ特定手段と、
前記参照カテゴリに対応する関連カテゴリを前記カテゴリ対応表によって特定する関連カテゴリ特定手段と、
前記参照カテゴリとその関連カテゴリそれぞれについて、前記データベースにおける樹形構造中の位置を前記カテゴリ検索報告書に記載して前記利用者コンピュータに送付するカテゴリ検索報告手段と、
を備えることを特徴とする検索サービス装置。
【請求項７】  ネットワークを介してアクセスしてきた利用者コンピュータが送付した検索語に基づいて付帯するデータベースを検索し、該当するレコードを含んだレコード検索報告書を当該利用者コンピュータに送付する検索サービス装置において、
多数の語を収録するとともに各語を相互に対応付けするための関連語辞書と、
前記検索語に対応する関連語を前記関連語辞書によって特定する関連語特定手段と、
前記検索語または前記特定された関連語を含んだレコードを抽出して前記レコード検索報告書に記載し前記利用コンピュータに送付するレコード検索報告手段と、
を備えることを特徴とする検索サービス装置。
【手続補正３】
【補正対象書類名】明細書
【補正対象項目名】０００１
【補正方法】変更
【補正の内容】
【０００１】
【発明の属する技術分野】
本発明は、インターネット上に公開される検索エンジンなどにおける検索サーバーによるカテゴリの報告方法及びレコードの報告方法、並びに検索サービス装置に関する。
【手続補正４】
【補正対象書類名】明細書
【補正対象項目名】００１３
【補正方法】変更
【補正の内容】
【００１３】
【課題を解決するための手段】
上記の目的を達成するため第１の発明は、多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
前記多数のカテゴリを相互に対応付けて当該カテゴリ同士の相関関係を記憶したカテゴリ対応表を用いて前記検索語を含むカテゴリを前記データベースから抽出して関連カテゴリを特定し、または、多数の語を収録するとともに各語に所定のカテゴリを対応付けて記憶したカテゴリ参照辞書によって抽出した当該検索語に対応する参照カテゴリを特定し更に当該参照カテゴリに対応する関連カテゴリを前記カテゴリ対応表によって特定するカテゴリ特定ステップと、
前記特定した関連カテゴリまたは参照カテゴリについて、前記データベースにおける樹形構造中の位置を前記カテゴリ検索報告書に記載して前記利用者コンピュータに送付するカテゴリ検索報告ステップと、
を実行することを特徴とする。
【手続補正５】
【補正対象書類名】明細書
【補正対象項目名】００１４
【補正方法】変更
【補正の内容】
【００１４】
第２の発明は、多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
前記検索語を含んだカテゴリを前記データベースから抽出するとともに、このカテゴリに対応する関連カテゴリを前記多数のカテゴリを相互に対応付けて当該カテゴリ同士の相関関係を記憶したカテゴリ対応表によって特定する関連カテゴリ特定ステップと、
前記検索語を含んだカテゴリおよび前記関連カテゴリのそれぞれについて、前記データベースにおける樹形構造中の位置を前記カテゴリ検索報告書に記載して前記利用者コンピュータに送付するカテゴリ検索報告ステップと、
を実行することを特徴とする。
【手続補正６】
【補正対象書類名】明細書
【補正対象項目名】００１５
【補正方法】変更
【補正の内容】
【００１５】
第３の発明は、多数のカテゴリを階層的な樹形構造によって体系化するとともに、多数のレコードそれぞれを最下層にあるいずれかのカテゴリに分類分けして格納したデータベースを用いて、ネットワークを介してアクセスしてきた利用者コンピュータが送付した検索語に基づいたカテゴリへのリンク情報を記載したカテゴリ検索報告書を当該利用者コンピュータに送付する検索サーバーによるカテゴリの報告方法において、前記検索サーバーが、
多数の語を収録するとともに各語に所定のカテゴリを対応付けて記憶したカテゴリ参照辞書によって当該検索語に対応する参照カテゴリを特定する参照カテゴリ特定ステップと、
前記多数のカテゴリを相互に対応付けて当該カテゴリ同士の相関関係を記憶したカテゴリ対応表によって前記参照カテゴリに対応する関連カテゴリを特定する関連カテゴリ特定ステップと、
前記参照カテゴリとその関連カテゴリそれぞれについて、前記データベースにおける樹形構造中の位置を前記カテゴリ検索報告書に記載して前記利用者コンピュータに送付するカテゴリ検索報告ステップと、
を実行することを特徴とする
また、第４の発明は、ネットワークを介してアクセスしてきた利用者コンピュータが送付した検索語に基づいて付帯するデータベースを検索し、該当するレコードを含んだレコード検索報告書を当該利用者コンピュータに送付する検索サーバーによるレコードの報告方法において、前記検索サーバーが、
多数の語を収録するとともに各語を相互に対応付けするための関連語辞書によって前記検索語に対応する関連語を特定する関連語特定ステップと、
前記検索語または前記特定された関連語を含んだレコードを抽出して前記レコード検索報告書に記載し前記利用コンピュータに送付するレコード検索報告ステップと、
を含むことを特徴とする。
さらに、本発明は、検索サービス装置にも関する。
【手続補正７】
【補正対象書類名】明細書
【補正対象項目名】００３１
【補正方法】変更
【補正の内容】
【００３１】
ディレクトリ検索サービス装置に限らず、全文検索についても多数の語を対応付けする辞書（関連語辞書）を用意しておけば、種々の同義語が検索語として入力されても、所定の一語に基づいてデータベースを検索することができる。
【手続補正８】
【補正対象書類名】明細書
【補正対象項目名】００３２
【補正方法】変更
【補正の内容】
【００３２】
【発明の効果】
本発明によれば、ディレクトリ検索サービスにおける各カテゴリ同士を対応づけするカテゴリ対応表を用意しておくことで、サービス提供者によるレコードの分類分けやカテゴリ間のリンク設定に依存することなく、利用者は確実に目的の情報を得ることができる。
また、カテゴリ参照辞書を用意することで、カテゴリとして存在しない語が検索語として入力された場合にも的確なカテゴリを利用者に提示できる。